(57)【要約】【課題】電子ウォレットの生成及び復元方法を提供する。【解決手段】使用者が記憶装置によりネットワーク装置に接続し、記憶装置はデジタル資産取引を行うステップを確定できる秘密キーを保存し、情報伝達ユニット、操作インタフェース、プロセッサ及びセキュリティチップを含み、該方法は、ネットワーク装置が電子ウォレットを作成する作成要求を生成し、作成要求は、プロセッサによってセキュリティチップに伝送し、セキュリティチップは、作成要求に基づき、内部に電子ウォレットを有しない状態を確認し、セキュリティチップ内に電子ウォレットを作成し、プロセッサがセキュリティチップに復元コードの生成を要求し、情報伝達ユニットにより復元コードを使用者に提供して記録・バックアップさせ、ネットワーク装置が電子ウォレット内の暗号化資産情報を取得し、暗号化資産情報に対して解読を行い、公開電子ウォレット情報を作成する。【選択図】図２
2019185523.tif 000002
【特許請求の範囲】
【請求項１】
使用者が、デジタル資産の取引を確定できる秘密キーを保存し、情報伝達ユニット、操作インタフェース、プロセッサおよびセキュリティチップを含む閉鎖式記憶装置によってネットワーク装置に接続する、電子ウォレットの生成及び復元方法であって、
前記ネットワーク装置は、電子ウォレットを作成する作成要求を生成し、前記作成要求を前記プロセッサによって上記セキュリティチップに伝送し、
前記セキュリティチップは、前記作成要求に基づき、内部の状態の検出を行い、内部が電子ウォレットを有しないことを確認した後、前記セキュリティチップ内に電子ウォレットを作成し、
前記プロセッサは、前記セキュリティチップに復元コードを生成するよう要求し、前記情報伝達ユニットによって前記復元コードを使用者に提供して記録・バックアップさせ、
前記ネットワーク装置は、前記電子ウォレット内に位置する暗号化資産情報を取得し、前記暗号化資産情報に対して復号化を行った後、公開電子ウォレット情報を作成し、
前記ネットワーク装置は、電子ウォレットを復元する復元要求に基づいて前記復元コードを取得し、前記復元コードにより復元シードキーを生成し、
前記ネットワーク装置は、前記復元シードキーを暗号化し、暗号化シードキーを形成し、前記暗号化シードキーを代替記憶装置の代替セキュリティチップに伝送し、前記代替セキュリティチップにより前記暗号化シードキーを復号化して前記復元シードキーに復元し、
前記代替セキュリティチップは、前記電子ウォレットの情報を前記ネットワーク装置に伝送し、前記ネットワーク装置に更新された公開電子ウォレット情報を作成させることを含む、電子ウォレットの生成及び復元方法。
【請求項２】
前記復元コードは、前記情報伝達ユニットによって前記記憶装置の表面に提示し、使用者がタッチ、聞く、目視等の感覚知覚で前記復元コードを受け取って記録・バックアップする請求項１に記載の電子ウォレットの生成及び復元方法。
【請求項３】
前記操作インタフェースが前記使用者により入力された記録完成の指示を受け取った後、前記記憶装置は、前記使用者が既に前記復元コードの記録・バックアップを完成したことを確認する請求項２に記載の電子ウォレットの生成及び復元方法。
【請求項４】
前記ウォレットを復元する復元要求は、前記使用者により前記ネットワーク装置を操作して生成されたものであり、前記ネットワーク装置が前記ウォレットを復元する復元要求を受け取った後、前記使用者に前記復元コードを入力する要求を提示する請求項１に記載の電子ウォレットの生成及び復元方法。
【請求項５】
前記ネットワーク装置は、前記復元シードキーに基づき、電子署名を生成し、前記暗号化シードキー及び電子署名を前記代替セキュリティチップに伝送し、前記代替セキュリティチップが前記暗号化シードキーを復号化して前記復元シードキーに復元し、前記代替セキュリティチップにより前記復元シードキー及び電子署名を検証する請求項１に記載の電子ウォレットの生成及び復元方法。
【請求項６】
使用者が、デジタル資産の取引を確定できる秘密キーを保存し、情報伝達ユニット、操作インタフェース、プロセッサおよびセキュリティチップを含む閉鎖式記憶装置によって第１ネットワーク装置に接続する、電子ウォレットの生成及び復元方法であって、
前記第１ネットワーク装置が電子ウォレットを作成する作成要求を生成し、前記作成要求を前記プロセッサによって前記セキュリティチップに伝送し、
前記セキュリティチップは、前記作成要求に基づき、内部の状態の検出を行い、内部が電子ウォレットを有しない状態であることを確認した後、前記セキュリティチップ内に電子ウォレットを作成し、
前記プロセッサは、前記セキュリティチップに復元コードを生成するよう要求し、前記情報伝達ユニットによって前記復元コードを使用者に提供して記録・バックアップさせ、
前記第１ネットワーク装置は、前記電子ウォレット内に位置する暗号化資産情報を取得し、前記暗号化資産情報に対して復号化を行った後、公開電子ウォレット情報を作成し、
第２ネットワーク装置は、ウォレットを復元する復元要求に基づいて前記復元コードを取得し、前記復元コードにより復元シードキーを生成し、
前記第２ネットワーク装置は、前記復元シードキーを暗号化して暗号化シードキーを形成し、前記記憶装置のセキュリティチップ又は代替記憶装置の代替セキュリティチップの何れかに伝送し、前記セキュリティチップ又は代替セキュリティチップのうちの何れかが前記暗号化シードキーを復号化して前記復元シードキーを形成し、
前記セキュリティチップ又は代替セキュリティチップの何れかが前記復元シードキーに基づいて前記電子ウォレットを作成し、前記電子ウォレットのデータを前記第２ネットワーク装置に伝送し、前記第２ネットワーク装置に公開電子ウォレット情報を生成させることを含む、電子ウォレットの生成及び復元方法。
【請求項７】
前記復元コードは、前記情報伝達ユニットによって前記記憶装置の表面に提示し、使用者がタッチ、聞く、目視等の感覚知覚で前記復元コードを受け取って記録・バックアップする請求項６に記載の電子ウォレットの生成及び復元方法。
【請求項８】
前記操作インタフェースが前記使用者により入力された記録完成の指示を受け取った後、前記記憶装置は、前記使用者が既に前記復元コードの記録・バックアップを完成したことを確認する請求項７に記載の電子ウォレットの生成及び復元方法。
【請求項９】
前記ウォレットを復元する復元要求は、前記使用者により前記第２ネットワーク装置を操作して生成されたものであり、前記第２ネットワーク装置が前記ウォレットを復元する復元要求を受け取った後、前記使用者に前記復元コードを入力する要求を提示する請求項６に記載の電子ウォレットの生成及び復元方法。
【請求項１０】
前記第２ネットワーク装置は、前記復元シードキーに基づき、電子署名を生成し、前記暗号化シードキー及び電子署名を前記セキュリティチップ又は前記代替セキュリティチップに伝送し、前記セキュリティチップ又は前記代替セキュリティチップが前記暗号化シードキーを復号化して前記復元シードキーを復元し、前記セキュリティチップ又は前記代替セキュリティチップにより前記復元シードキー及び電子署名を検証する請求項６に記載の電子ウォレットの生成及び復元方法。
【発明の詳細な説明】
【技術分野】
【０００１】
本発明は、電子ウォレットの生成及び復元方法に関し、検証過程でネットワーク装置を必要としないが、使用者が手書きで特定情報を記録することを要し、ようやく後続のその他の検証又は伝送工程を有効化する方法に関する。
【背景技術】
【０００２】
１９６０年後期、米国及びソ連の間の各種領域の攻防戦により、インターネットが出現し、国家安全保障の用途に開始された。
【０００３】
現在では、インターネットは、人々がインターネットに接続可能な電子製品によって、公告マーケティング、仮想又は実際の製品の取引、金融資源の操作、ニュースメディア、教育学習、人と人との間の感情を繋ぐツールに用いられる。
【０００４】
益々多くのインターネット使用者にパーソナルネットワーク、プライバシー及び財産データを保護する意識及び観念が出現しており、同時に個人電子製品上のプライバシーを保障することも多くの使用者又は開発者の注目を受けており、自己の個人の権力／権利、または特定の団体中の会員の権力／権利を保障するため、プライベートアカウント、プライベートパスワード、プライベート電子製品を使用することなどが普遍的に開始されている。
【０００５】
前記多種のインターネット上で保障すべき要求に対応して、国家、政府、メディア、オンラインストア等が持続的に研究開発を行い、消費者又は登録会員のデータを保護できるデジタルシステム又はハードウェアを購入、使用している。
【０００６】
これに基づき、消費者または登録会員のデータを保護するデジタルシテステム又はハードウェアが如何にデジタル方式でオンラインの操作者が所有者本人であるか否かを検証するかは、大きな課題となっている。
【発明の概要】
【発明が解決しようとする課題】
【０００７】
本発明の目的は、記憶製品の内部に１つのプライベートで且つデジタル資産データの取引を確定できる秘密キーを作成する作業において、作成完了した秘密キーデータをインターネットに接続可能な電子製品に伝送し、使用者が、電子製品がインターネットに接続する時、同時に記憶製品を電子製品に接続し、電子製品中の秘密キーデータを操作してインターネット上で個人デジタル資産の取引行為を行うようにすることである。
【０００８】
本発明のもう１つの目的は、記憶製品が秘密キーデータを伝送し、インターネットに接続可能な電子製品に入力する前に使用者は、記憶製品が表示する特定情報（Mnemonic）をバックアップ記録する必要があり、記憶製品の所有者と電子製品の所有者が同一人物であることを検証する手段とし、検証の過程は、電子製品を経ず、記憶製品の所有者と電子製品の所有者が同一人物でない状況を回避するようにすることである。
【０００９】
本発明の更にもう１つの目的は、使用者がインターネットに接続可能な電子製品、記憶製品のうち何れかを遺失又は損壊した状況において、旧電子製品及び新尾記憶製品、又は新電子製品及び旧記憶製品、又は新電子製品及び新記憶製品の相互の間に対応するネットワーク接続をし直し、使用者が個人で所有する特定情報（Mnemonic）を運用でき、電子製品及び／又は記憶製品内部にその個人の秘密キーを復元する作業を行うようにすることである。
【課題を解決するための手段】
【００１０】
前記目的を達成するため、本発明の電子ウォレットの生成方法は、使用者が、デジタル資産を取引するステップを確認できる秘密キーを保存し、情報伝達ユニット、操作インタフェース、プロセッサおよびセキュリティチップを含む閉鎖式記憶装置によってネットワーク装置に接続する、電子ウォレットの生成及び復元方法であって、前記ネットワーク装置は、電子ウォレットを作成する要求を生成し、前記作成要求を前記プロセッサによって上記セキュリティチップに伝送し、前記セキュリティチップは、前記作成要求に基づき、内部の状態の検出を行い、内部が電子ウォレットを有しないことを確認した後、前記セキュリティチップ内に電子ウォレットを作成し、前記プロセッサは、前記セキュリティチップに復元コードを生成するよう要求し、前記情報伝達ユニットによって前記復元コードを使用者に提供して記録・バックアップさせ、前記ネットワーク装置は、前記電子ウォレット内に位置する暗号化資産情報を取得し、前記暗号化資産情報に対して復号化を行った後、公開電子ウォレット情報を作成することを含む。
【００１１】
前記復元コードは、前記情報伝達ユニットによって前記記憶装置の表面に提示し、使用者がタッチ、聞く、目視等の感覚知覚で前記復元コードを受け取って記録・バックアップする。
【００１２】
また、前記操作インタフェースが前記使用者により入力された記録完成の指示を受け取った後、前記記憶装置は、前記使用者が既に前記復元コードの記録・バックアップを完成したことを確認する。
【００１３】
電子ウォレットの復元方法は、第１好適実施例において、使用者が記憶装置によってネットワーク装置に接続でき、前記記憶装置は、デジタル資産を取引するステップを確定できる秘密キーを保存し、且つ前記記憶装置は、情報伝達ユニット、操作インタフェース、プロセッサおよびセキュリティチップを含み、前記方法は、
前記ネットワーク装置は、電子ウォレットを復元する復元要求に基づいて前記復元コードを取得し、前記復元コードにより復元シードキーを生成し、
前記ネットワーク装置は、前記復元シードキーを暗号化し、暗号化シードキーを形成し、前記暗号化シードキーを代替記憶装置の代替セキュリティチップに伝送し、前記代替セキュリティチップにより前記暗号化シードキーを復号化して前記復元シードキーに復元し、前記代替セキュリティチップは、前記電子ウォレットの情報を前記ネットワーク装置に伝送し、前記ネットワーク装置に更新された公開された電子ウォレット情報を作成させる。
【００１４】
前記ウォレットを復元する復元要求は、前記使用者により前記ネットワーク装置を操作して生成されたものであり、前記ネットワーク装置が前記ウォレットを復元する復元要求を受け取った後、前記使用者に前記復元コードを入力する要求を提示する。
【００１５】
また、前記ネットワーク装置は、前記復元シードキーに基づき、電子署名を生成し、前記暗号化シードキー及び電子署名を前記代替セキュリティチップに伝送し、前記代替セキュリティチップが前記暗号化シードキーを復号化して前記復元シードキーに復元し、前記代替セキュリティチップにより前記復元シードキー及び電子署名を検証する。
【００１６】
また、もう１つの好適実施例において、電子ウォレットの生成及び復元方法は、使用者が、デジタル資産の取引を確定できる秘密キーを保存し、情報伝達ユニット、操作インタフェース、プロセッサおよびセキュリティチップを含む閉鎖式記憶装置によって第１ネットワーク装置に接続する、電子ウォレットの生成及び復元方法であって、以下を含む。
【００１７】
前記第１ネットワーク装置が電子ウォレットを作成する作成要求を生成し、前記作成要求を前記プロセッサによって前記セキュリティチップに伝送し、前記セキュリティチップは、前記作成要求に基づき、内部の状態の検出を行い、内部が電子ウォレットを有しない状態であることを確認した後、前記セキュリティチップ内に電子ウォレットを作成し、前記プロセッサは、前記セキュリティチップに復元コードを生成するよう要求し、前記情報伝達ユニットによって前記復元コードを使用者に供して記録・バックアップさせ、前記第１ネットワーク装置は、前記電子ウォレット内に位置する暗号化資産情報を取得し、前記暗号化資産情報に対して復号化を行った後、公開電子ウォレット情報を作成し、第２ネットワーク装置は、ウォレットを復元する要求に基づいて前記復元コードを取得し、前記復元コードにより復元シードキーを生成する。
【００１８】
前記第２ネットワーク装置は、前記復元シードキーを暗号化して暗号化シードキーを形成し、前記記憶装置のセキュリティチップ又は代替記憶装置の代替セキュリティチップの何れかに伝送し、前記セキュリティチップ又は代替セキュリティチップのうちの何れかが前記暗号化シードキーを復号化して前記復元シードキーを形成する。
【００１９】
前記セキュリティチップ又は代替セキュリティチップの何れかが前記復元シードキーに基づいて前記電子ウォレットを作成し、前記電子ウォレットのデータを前記第２ネットワーク装置に伝送し、前記第２ネットワーク装置に公開電子ウォレット情報を生成させる。
【００２０】
前記復元コードは、前記情報伝達ユニットによって前記記憶装置の表面に提示し、使用者がタッチ、聞く、目視等の感覚知覚で前記復元コードを受け取って記録・バックアップする。
【００２１】
前記操作インタフェースが前記使用者により入力された記録完成の指示を受け取った後、前記記憶装置は、前記使用者が既に前記復元コードの記録・バックアップを完成したことを確認する。
【００２２】
前記ウォレットを復元する復元要求は、前記使用者により前記第２ネットワーク装置を操作して生成されたものであり、前記第２ネットワーク装置が前記ウォレットを復元する復元要求を受け取った後、前記使用者に前記復元コードを入力する要求を提示する。
【００２３】
前記第２ネットワーク装置は、前記復元シードキーに基づき、電子署名を生成し、前記暗号化シードキー及び電子署名を前記セキュリティチップ又は前記代替セキュリティチップに伝送し、前記セキュリティチップ又は前記代替セキュリティチップが前記暗号化シードキーを復号化して前記復元シードキーを復元し、前記セキュリティチップ又は前記代替セキュリティチップにより前記復元シードキー及び電子署名を検証する。
【発明の効果】
【００２４】
前記説明から分かるように、本発明の利点は、以下にある。
プライベート秘密キー記憶製品を所有する使用者は、プライベート秘密キー記憶製品内部のプロセッサおよびセキュリティチップによってネットワーク装置、情報伝達ユニット、操作インタフェースがそれぞれ表示及び入力を要求するステップにより、個人の電子ウォレットの情報をネットワーク装置の内部に新規作成又は復元し直すことを完成する。
【００２５】
そのうち、セキュリティチップは、復元コードを情報伝達ユニットに伝送し、記憶装置の秘密キーを所有する実際の所有者に情報伝達ユニットにより復元コードを分からせ、記録させ、使用者が復元コードをネットワーク装置に入力する動作によって、ネットワーク装置に復元コードをセキュリティチップが誤りのないものであるか否かを伝送し、セキュリティチップは、電子ウォレットの情報をネットワーク装置に伝送し、電子ウォレットの情報をネットワーク装置に作成又は復元することを完成し、結果として、同時に盗み取られたか、遺失したインターネットに接続可能な電子製品を電子ウォレットの所有者ではないものに操作される可能性を回避し、ネットワーク装置によってプライベート秘密キーを作成又は復元することを要求するものが記憶製品を所有する所有者出るか否かを検証する手段とする。
【図面の簡単な説明】
【００２６】
【図１】ネットワーク装置、記憶装置及びその他の電気接続、情報伝送関係の説明図である。
【図２】電子ウォレットの生成方法の第１好適実施例のステップフロー図である。
【図３】電子ウォレットの復元方法の第１好適実施例のステップフロー図である。
【図４】電子ウォレットの生成方法の第２好適実施例のステップフロー図である。
【図５】電子ウォレットの復元方法の第２好適実施例のステップフロー図である。
【図６】電子ウォレットの復元方法の第３好適実施例のステップフロー図である。
【発明を実施するための形態】
【００２７】
本発明の構造、使用及びその特徴に対して更に明確、詳細に認識、理解するため、好適実施例を挙げ、図面を合わせて以下に詳細に説明する。
【００２８】
図１〜図３を参照し、使用者は、記憶装置２およびネットワーク装置４を所有し、前記記憶装置２内部に電子ウォレット１を保存し、前記電子ウォレット１は、インターネットまたはオンラインデジタル情報取引システムでデジタル資産の取引を確定できる秘密キーを設け、前記デジタル資産は、アカウント情報およびデジタル資産量を表示するための番号情報を含み、前記記憶装置２の表面に情報伝達ユニット２０および操作インタフェース２１を設け、且つ前記記憶装置２の内部にプロセッサ２０および操作インタフェース２１を設け、且つ前記記憶装置２の内部にプロセッサ２２およびセキュリティチップ２３（ＳＥ）を取り付け、そのうち、前記情報伝達ユニット２０、操作インタフェース２１、プロセッサ２２、およびセキュリティチップ２３（ＳＥ）は、相互に電気接続し、好適実施例において、前記記憶装置２は、ＵＳＢ、メモリカードまたはチップカード等として設けることができる。
【００２９】
また、前記記憶装置２は、前記ネットワーク装置４に電気接続でき、且つ前記記憶装置２及び前記ネットワーク装置４の間に相互にペアリング接続の成功後、前記ネットワーク装置４によってインターネットに接続することによって、前記記憶装置２中の電子ウォレット１のデジタル資産情報を売り買いできる。
【００３０】
相反して、前記記憶装置２が前記ネットワーク装置４に電気接続しない状況において、前記記憶装置２は、独立閉鎖式の機構であり、前記記憶装置２のみを所有するものは、外部から前記記憶装置２中の電子ウォレット１の情報を自発的に取得できず、好適実施例において、前記ネットワーク装置４は、パソコン、タブレットＰＣ、携帯電話等として設けることができる。
【００３１】
従って、使用者は、前記記憶装置２及びネットワーク装置４を同時に所有し、且つ前記ネットワーク装置４をインターネットに接続した状況において、初めて前記ネットワーク装置４において、前記記憶装置２中の秘密キーの情報を読み取ると同時に使用でき、前記記憶装置２又は前記ネットワーク装置４のうちの何れか１つのみを有する場合、使用者が皆インターネット上で個人デジタル資産を売り買いする行為を行うことができない。
【００３２】
図２に示すように、本発明の電子ウォレット１の生成方法は、主に以下を含む。
使用者は、前記ネットワーク装置４において、電子署名（ｐｒｉｖａｔｅ  ｋｅｙ）を入力し、電子ウォレット１の作成要求４０を生成し、好適実施例において、前記電子署名（ｐｒｉｖａｔｅ  ｋｅｙ）は、プライベート秘密キー、プライベート電子署名等として設けることができ、前記ネットワーク装置４は、前記作成要求４０を前記記憶装置２内部のプロセッサ２２に伝送し、好適実施例において、前記プロセッサ２２は、メモリ制御ユニット（ｍｅｍｏｒｙ  ｃｏｎｔｒｏｌ  ｕｎｉｔ，ＭＣＵ）またはマイクロプロセッサ制御ユニット（ｍｉｃｒｏｐｒｏｃｅｓｓｏｒ  ｃｏｎｔｒｏｌ  ｕｎｉｔ，ＭＣＵ）として設けることができ、前記プロセッサ２２は、作成要求４０を前記セキュリティチップ２３（ＳＥ）に伝送し、前記セキュリティチップ２３（ＳＥ）により前記セキュリティチップ２３（ＳＥ）の内部に前記電子ウォレット１が存在するか否かを確認し、前記電子ウォレット１が存在しない場合、前記セキュリティチップ２３（ＳＥ）によりその内部に前記電子ウォレット１を作成する。
【００３３】
そのうち、前記電子ウォレット１を作成する作成要求４０の強度は、入力した使用者パスワードの数量又はパスワード設定の複雑度を見て決定することができ、パスワードの数量が長いか、複雑であるほど、ウォレットの作成要求４０を生成する強度も強く、例えば、パスワードの数量が１２桁の番号のウォレット作成要求４０の強度は、パスワードの数量が１８桁の番号又は２４桁の番号よりも小さい。
【００３４】
前記プロセッサ２２は、前記セキュリティチップ２３（ＳＥ）に対して復元コード２４（ｍｎｅｍｏｎｉｃ）を生成するよう要求し、前記セキュリティチップ２３（ＳＥ）は、前記復元コード２４（ｍｎｅｍｏｎｉｃ）を前記プロセッサ２２に伝送し、更に、前記情報伝達ユニット２０により前記復元コード２４（ｍｎｅｍｏｎｉｃ）を使用者に提示して記録・バックアップさせる。
【００３５】
そのうち、好適実施例において、前記復元コード２４（ｍｎｅｍｏｎｉｃ）のタイプは、文字、図形、数字、音声等の形式に設けることができ、且つ前記記録・バックアップの動作は、手書き、録音、撮像、暗記等の方式に設定することができ、且つ前記情報伝達ユニット２０は、前記復元コード２４（ｍｎｅｍｏｎｉｃ）の表示回数又は表示組数を使用者に表示し、使用者に完全な前記復元コード２４（ｍｎｅｍｏｎｉｃ）を精確に記録・バックアップさせ、好適実施例において、前記情報伝達ユニット２０は、表示器、スクリーン、スピーカ等の前記復元コード２４（ｍｎｅｍｏｎｉｃ）を使用者に伝達又は表示できる機構として設けることができる。
【００３６】
使用者は、前記ネットワーク装置４に前記復元コード２４（ｍｎｅｍｏｎｉｃ）のバックアップ動作を完成していることを分からせ、前記ネットワーク装置４は、前記セキュリティチップ２３（ＳＥ）に前記電子ウォレット１の情報を提供するように要求し、前記セキュリティチップ２３（ＳＥ）は、前記電子ウォレット１の情報を前記ネットワーク装置４に伝送する。
【００３７】
そのうち、好適実施例において、使用者は、前記操作インタフェース２１によって前記復元コード２４（ｍｎｅｍｏｎｉｃ）を前記ネットワーク装置４に入力し、前記ネットワーク装置４に使用者が前記復元コード２４（ｍｎｅｍｏｎｉｃ）のバックアップを完成した情報を受け取らせ、好適実施例において、前記操作インタフェース２１は、使用者が入力した記録完成の指示を取得した後、前記記憶装置２が、使用者が前記復元コード２４（ｍｎｅｍｏｎｉｃ）の記録・バックアップの動作を完成したことを確認する。
【００３８】
または、もう１つの好適実施例において、前記ネットワーク装置４は、前記復元コード２４（ｍｎｅｍｏｎｉｃ）を前記セキュリティチップ２３（ＳＥ）に伝送した後、前記セキュリティチップ２３（ＳＥ）に前記暗号化資産情報１０を提供するように要求し、前記セキュリティチップ２３（ＳＥ）が受け取って、前記復元コード２４（ｍｎｅｍｏｎｉｃ）に誤りがないと判定してようやく前記暗号化資産情報１０を前記ネットワーク装置４に伝送する。
【００３９】
または、更にもう１つの好適実施例において、前記使用者は、前記操作インタフェース２１を接触センシングし、前記ネットワーク装置４に前記復元コード２４（ｍｎｅｍｏｎｉｃ）のバックアップを完成した情報を受け取らせ、そのうち、好適実施例において、前記操作インタフェース２１を前記接触センシングする動作は、赤外線又はブルートゥース（登録商標）によるリモートセンシング、プッシュボタンの接触、タッチ制御の接触、特定パターンを描く、個人の指紋又は指の静脈分布のスキャン、特定音声又は個人の声の入力等の方式として設けることができる。
【００４０】
もう１つの好適実施例において、前記操作インタフェース２１を接触センシングする動作は、持続的に繰り返し接触する方式に設定することができ、前記操作インタフェース２１が毎回センシングを受けた後、前記プロセッサ２２により１つ又は複数の前記復元コード２４（ｍｎｅｍｏｎｉｃ）を前記情報伝達ユニット２０に表示し、使用者に受け取らせた後に記録させ、使用者は、センシング及び記録の動作を持続的に繰り返す必要があり、そうして前記情報伝達ユニット２０は、ようやく全ての復元コード２４（ｍｎｅｍｏｎｉｃ）の情報を表示する。
【００４１】
好適実施例において、前記情報伝達ユニット２０は、所定の時間内、１つ又は複数の前記復元コード２４（ｍｎｅｍｏｎｉｃ）の情報を表示することができ、所定時間の終了後、表示された前記復元コード２４（ｍｎｅｍｏｎｉｃ）の情報が消失し、再表示出現しない。
【００４２】
更にもう１つの好適実施例において、前記電子ウォレット１の情報は、前記セキュリティチップ２３（ＳＥ）の暗号化（ｅｎｃｏｄｉｎｇ）演算を受けて暗号化資産情報１０を形成した後、前記暗号化資産情報１０は、ようやく前記電子署名を一緒に前記セキュリティチップ２３（ＳＥ）により前記ネットワーク装置４に伝送し、前記ネットワーク装置４は、使用者が入力する電子署名（ｐｒｉｖａｔｅ  ｋｅｙ）に誤りがないことを判断した後、前記ネットワーク装置４は、前記暗号化（ｅｎｃｏｄｉｎｇ）演算を経た暗号化資産情報１０を符号化（ｄｅｃｏｄｉｎｇ）する。
【００４３】
前記ネットワーク装置４は、公開電子ウォレット情報１１を作成し、保存する。
【００４４】
これに基づき、本発明の復元コード２４（ｍｎｅｍｏｎｉｃ）が前記セキュリティチップ２３（ＳＥ）により前記情報伝達ユニット２０に伝送され、前記情報伝達ユニット２０は、前記復元コード２４（ｍｎｅｍｏｎｉｃ）を前記記憶装置２上に表示し、使用者に提供して記録・バックアップさせ、前記ネットワーク装置４によって前記復元コード２４（ｍｎｅｍｏｎｉｃ）を表示するのではなく、このように、盗み取られたか、遺失したネットワーク装置４が非ネットワーク所有者又は非電子ウォレット１の所有者により操作される可能性を回避し、更に、前記記憶装置２が盗み取られるか、遺失した状況において、前記記憶装置２を操作する使用者もその内部の電子ウォレット１の情報を使用することができない。
【００４５】
また、続いて図３を参照し、本発明の電子ウォレット１の復元方法の第１好適実施例において、前記記憶装置２は、使用者の遺失、盗難、損壊を受ける場合、新しい代替記憶装置３により元の旧記憶装置２に代替し、そのうち、前記代替記憶装置３は、全く新しく且つ内部に如何なる資料も有さない代替記憶装置３、または他人に使用されたことがあり且つ内部に他人のデータを保存した代替記憶装置３として設けることができ、内部に他人のデータを保存した代替記憶装置３である場合、使用者は、先に前記代替記憶装置３にフォーマットのリセット（ｒｅｓｅｔ）を行う必要があり、元々内部に保存されていた他人のデータをクリアし、ようやく復元作業を持続して行って使用することができる。
【００４６】
前記代替記憶装置３の表面は、代替情報伝達ユニット３０および代替操作インタフェース３１を設け、且つ前記代替記憶装置３の内部に代替プロセッサ３２および代替セキュリティチップ３３（ＳＥ）を取り付け、そのうち、前記代替情報伝達ユニット３０、代替操作インタフェース３１、代替プロセッサ３２、および代替セキュリティチップ３３（ＳＥ）は、互いに電気接続し、前記復元方法は、主に以下を含む。
【００４７】
使用者が、ネットワーク装置４に電子ウォレット１を復元する動作を行うように指示し、前記ネットワーク装置４が使用者の復元要求４１を受けた後、前記ネットワーク装置４は、使用者に復元コード２４（ｍｎｅｍｏｎｉｃ）の要求を入力するよう提示し、使用者が続いて前記ネットワーク装置４に前記復元コード２４（ｍｎｅｍｏｎｉｃ）を入力し、そのうち、本発明が提示する異なる実施例において、復元コード２４（ｍｎｅｍｏｎｉｃ）は、何れも同一である。
【００４８】
前記ネットワーク装置４は、前記復元コード２４（ｍｎｅｍｏｎｉｃ）に基づき、復元シードキー６０（ｓｅｅｄ  ｋｅｙ）を生成し、前記ネットワーク装置４は、前記代替セキュリティチップ３３（ＳＥ）をコールする。
【００４９】
使用者が電子署名（ｐｒｉｖａｔｅ  ｋｅｙ）を入力し、前記ネットワーク装置４は、前記電子署名  （ｐｒｉｖａｔｅ  ｋｅｙ）に誤りがないことを確認した後、前記復元シードキー６０（ｓｅｅｄ  ｋｅｙ）に暗号化動作の実行を開始し、前記復元シードキー６０（ｓｅｅｄ  ｋｅｙ）が暗号化（ｅｎｃｏｄｉｎｇ）演算を行った後、暗号化シードキー６１を形成する。
【００５０】
前記ネットワーク装置４は、同時に前記復元コード２４（ｍｎｅｍｏｎｉｃ）及び暗号化シードキー６１を前記代替セキュリティチップ３３（ＳＥ）に伝送し、そのうち、好適実施例において、前記代替セキュリティチップ３３（ＳＥ）の内部に非対称暗号化演算法（ｉｎｓｔａｌｌ  ｄｅｆａｕｌｔ  ＳＥ  ｋｅｙｐａｉｒ）を予め作成する。
【００５１】
前記代替セキュリティチップ３３（ＳＥ）の非対称暗号化演算法（ｉｎｓｔａｌｌ  ｄｅｆａｕｌｔ  ＳＥ  ｋｅｙｐａｉｒ）は、前記暗号化シードキー６１を復号化（ｄｅｃｏｄｉｎｇ）することに用いることができ、前記暗号化シードキー６１を前記復元シードキー６０（ｓｅｅｄ  ｋｅｙ）に復元し、前記非対称暗号化演算法（ｉｎｓｔａｌｌ  ｄｅｆａｕｌｔ  ＳＥ  ｋｅｙｐａｉｒ）により前記復元シードキー６０に誤りがないかを検証する。
【００５２】
前記代替セキュリティチップ３３（ＳＥ）は、前記復元シードキー６０（ｓｅｅｄ  ｋｅｙ）に誤りがないことを検証した後、前記電子ウォレット１の情報を前記ネットワーク装置４に伝送し、前記ネットワーク装置４の内部に前記電子ウォレット１の情報を作成する。
【００５３】
また、続いて、図４及び図５に示すように、本発明の電子ウォレット１の復元方法の第２及び第３好適実施例において、前記図２及び図３に示す生成及び復元方法の第１好適実施例との相違箇所は、以下にある。
【００５４】
前記ネットワーク装置４が使用者の遺失、盗難、損壊を受けた場合、本実施例は、使用者の元々所有していたネットワーク装置４を第１ネットワーク装置５として設け、使用者が新たに購入したか、予備のその他のネットワーク装置４を第２ネットワーク装置６として設け、図４に示すように、使用者は、前記第１ネットワーク装置５内部に前記電子ウォレット１の作成を完成した後、元の第１ネットワーク装置５は、前記第２ネットワーク装置６に代替され、図５に示すように、使用者は、前記第２ネットワーク装置６により前記電子ウォレット１を復元する作業を行う。
【００５５】
また、本発明の復元方法が使用する復元コード２４は、何れも同じであることにより、旧第１ネットワーク装置５がその他の第２ネットワーク装置６に代替されたとしても、異なるネットワーク装置４は、依然として同じ復元コード２４によって、同じ復元シードキー６０（ｓｅｅｄ  ｋｅｙ）を生成する。
【００５６】
前記第２ネットワーク装置６および代替記憶装置３は、ペアリング接続を新たに確認した後、前記第２ネットワーク装置６は、ようやく同時に前記復元コード２４（ｍｎｅｍｏｎｉｃ）および暗号化シードキー６１を前記セキュリティチップ２３（ＳＥ）またはもう１つの代替セキュリティチップ３３中に伝送し、図６に示すとおりである。
【００５７】
また、使用者が使用したことがあり且つ内部にその他の使用者の資料を残した代替記憶装置３である場合、使用者は、前記代替記憶装置３を、フォーマットを設定し直し（ｒｅｓｅｔ）、前記代替記憶装置３の内部のデータをクリアした後、前記ネットワーク装置４および代替記憶装置３のペアリング接続を確認し直す作業を行う。
【００５８】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００５９】
１  電子ウォレット
１０  暗号化資産情報
１１  公開電子ウォレット情報
２  記憶装置
２０  情報伝達ユニット
２１  操作インタフェース
２２  プロセッサ
２３  セキュリティチップ
２４  復元コード
３  代替記憶装置
３０  代替情報伝達ユニット
３１  代替操作インタフェース
３２  代替プロセッサ
３３  代替セキュリティチップ
４  ネットワーク装置
４０  作成要求
４１  復元要求
５  第１ネットワーク装置
６  第２ネットワーク装置
６０  復元シードキー
６１  暗号化シードキー
【図１】
2019185523.tif 000003
【図２】
2019185523.tif 000004
【図３】
2019185523.tif 000005
【図４】
2019185523.tif 000006
【図５】
2019185523.tif 000007
【図６】
2019185523.tif 000008